(57)【要約】【課題】  簡易な構成で、データ記録時において確実にアドレスを検出し得る光ディスクドライブ装置を実現する。【解決手段】  光ビームを記録パワーで照射している期間は、減衰した再生信号からアドレス信号を生成することにより、ピットレベルを低下させて飽和を回避し、ピットレベルのＳ／Ｎ比を向上できる。一方、再生パワーで照射している期間は、ピットレベルをクランプした再生信号からアドレス信号を生成することにより、ピットレベルの飽和を考慮することなく再生信号の増幅率を大きく取ることができ、リードレベルのＳ／Ｎ比を向上できる。また、ピットレベルとリードレベルとの信号レベル差を削減して、ピットレベルからリードレベルへ遷移する際のセトリング時間を短縮することができる。【選択図】        図３
2005174443.tif 000002
【特許請求の範囲】
【請求項１】
データを記録するためのグルーブが形成されている光ディスクに対し、データの記録及び再生を行う光ディスクドライブ装置において、
上記光ディスクを回転駆動する駆動手段と、
上記駆動手段によって回転駆動される上記光ディスクに対し、高出力の記録パワーと低出力の再生パワーとを切り替えて光ビームを照射することにより、当該光ディスクの上記グルーブにピットを形成していく光ビーム照射手段と、
上記光ビームが上記光ディスクで反射されてなる反射光を受光して再生信号を生成し出力する受光手段と、
上記受光手段から出力される上記再生信号を入力し、減衰して出力する減衰手段と、
上記受光手段から出力される上記再生信号を入力し、当該再生信号における、上記記録パワーで照射された上記光ビームの反射光を検出してなる信号部分であるピットレベルを、所定のクランプ値でクランプして出力するリミッタと、
上記再生信号からアドレス信号を生成するアドレス信号生成手段と
を具え、
上記アドレス信号生成手段は、上記光ビーム照射手段が上記記録パワーで照射している期間は、上記減衰手段によって減衰された上記再生信号を選択して上記アドレス信号を生成し、上記光ビーム照射手段が上記再生パワーで照射している期間は、上記リミッタによって上記ピットレベルがクランプされた上記再生信号を選択して上記アドレス信号を生成する
ことを特徴とする光ディスクドライブ装置。
【請求項２】
上記アドレス信号は、上記グルーブとグルーブとの間のランド部に形成されたランドプリピットによる上記反射光の光量変化に基づいてアドレスを検出するためのランドプリピット信号である
ことを特徴とする請求項１に記載の光ディスクドライブ装置。
【請求項３】
上記アドレス信号は、上記グルーブの蛇行による上記反射光の光量変化に基づいてアドレスを検出するためのウォブル信号である
ことを特徴とする請求項１に記載の光ディスクドライブ装置。
【請求項４】
上記アドレス信号生成手段は、上記光ビーム照射手段を上記記録パワー又は上記再生パワーで発光駆動する駆動信号に基づいて、上記減衰手段によって減衰された上記再生信号又は上記リミッタによって上記ピットレベルがクランプされた上記再生信号を選択する
ことを特徴とする請求項１に記載の光ディスクドライブ装置。
【請求項５】
上記アドレス信号生成手段は、上記受光手段から出力される上記再生信号の信号レベルに基づいて、上記光ビーム照射手段が上記高出力パワーで上記光ビームを照射している期間及び上記低出力パワーで上記光ビームを照射している期間を検出し、当該検出結果に基づいて、上記減衰手段によって減衰された上記再生信号又は上記リミッタによって上記ピットレベルがクランプされた上記再生信号を選択する
ことを特徴とする請求項１に記載の光ディスクドライブ装置。
【請求項６】
データを記録するためのグルーブが形成されている光ディスクに対し、データの記録及び再生を行う光ピックアップにおいて、
回転駆動される上記光ディスクに対し、高出力の記録パワーと低出力の再生パワーとを切り替えて光ビームを照射することにより、当該光ディスクの上記グルーブにピットを形成していく光ビーム照射手段と、
上記光ビームが上記光ディスクで反射されてなる反射光を受光して再生信号を生成し出力する受光手段と、
上記受光手段から出力される上記再生信号を入力し、減衰して出力する減衰手段と、
上記受光手段から出力される上記再生信号を入力し、当該再生信号における、上記記録パワーで照射された上記光ビームの反射光を検出してなる信号部分であるピットレベルを、所定のクランプ値でクランプして出力するリミッタと、
上記再生信号からアドレス信号を生成するアドレス信号生成手段と
を具え、
上記アドレス信号生成手段は、上記光ビーム照射手段が上記記録パワーで照射している期間は、上記減衰手段によって減衰された上記再生信号を選択して上記アドレス信号を生成し、上記光ビーム照射手段が上記再生パワーで照射している期間は、上記リミッタによって上記ピットレベルがクランプされた上記再生信号を選択して上記アドレス信号を生成する
ことを特徴とする光ピックアップ。
【請求項７】
上記アドレス信号は、上記グルーブとグルーブとの間のランド部に形成されたランドプリピットによる上記反射光の光量変化に基づいてアドレスを検出するためのランドプリピット信号である
ことを特徴とする請求項６に記載の光ピックアップ。
【請求項８】
上記アドレス信号は、上記グルーブの蛇行による上記反射光の光量変化に基づいてアドレスを検出するためのウォブル信号である
ことを特徴とする請求項６に記載の光ピックアップ。
【請求項９】
上記アドレス信号生成手段は、上記光ビーム照射手段を上記記録パワー又は上記再生パワーで発光駆動する駆動信号に基づいて、上記減衰手段によって減衰された上記再生信号又は上記リミッタによって上記ピットレベルがクランプされた上記再生信号を選択する
ことを特徴とする請求項６に記載の光ピックアップ。
【請求項１０】
上記アドレス信号生成手段は、上記受光手段から出力される上記再生信号の信号レベルに基づいて、上記光ビーム照射手段が上記高出力パワーで上記光ビームを照射している期間及び上記低出力パワーで上記光ビームを照射している期間を検出し、当該検出結果に基づいて、上記減衰手段によって減衰された上記再生信号又は上記リミッタによって上記ピットレベルがクランプされた上記再生信号を選択する
ことを特徴とする請求項６に記載の光ピックアップ。
【請求項１１】
光ディスクに形成されたグルーブに対して高出力の記録パワーと低出力の再生パワーとを切り替えて光ビームを照射することによりデータの記録を行う際に、当該光ディスク上のアドレスを検出するためのアドレス信号を生成するアドレス信号生成方法において、
上記光ビームが上記光ディスクで反射されてなる反射光を受光して再生信号を生成し、
上記光ビーム照射手段が上記記録パワーで照射している期間は、所定の減衰率で減衰した上記再生信号から上記アドレス信号を生成し、
上記光ビーム照射手段が上記再生パワーで照射している期間は、上記記録パワーで照射された上記光ビームの反射光を検出してなる信号部分であるピットレベルを所定のクランプ値でクランプした上記再生信号から上記アドレス信号を生成する
ことを特徴とするアドレス信号生成方法。
【発明の詳細な説明】
【技術分野】
【０００１】
本発明は光ディスクドライブ装置に関し、例えば記録型ＤＶＤ（Digital Versatile Disk）ドライブに適用して好適なものである。
【背景技術】
【０００２】
従来、記録可能な光ディスクでは、ランドに設けた切り欠き（これをランドプリピットと呼ぶ）やグルーブの蛇行パターンを用いてディスクアドレスを予め記録しておくことにより、情報の未記録時においても光ディスク上のアドレスを検出し得るようになされている。（例えば特許文献１・第１１図参照）。
【０００３】
すなわち図５に示すように、相変化記録方式の書換型ディスクであるＤＶＤ−ＲＷ（ReWritable）や、有機色素変化記録方式の追記型ディスクであるＤＶＤ−Ｒ（Recordable）では、光ディスク１の表面に、わずかな振幅で蛇行した（ウォブル）溝でなるグルーブ１Ｇが螺旋状に形成されているとともに、グルーブ１Ｇとその隣のグルーブ１Ｇの間のランド１Ｌの部分に、ランドプリピット１Ｐが形成されている。
【０００４】
そして、グルーブ１Ｇの蛇行によって得られる反射光の変動（ウォブリング）は、ディスクの回転制御や記録用マスタークロックの生成等に用いられ、ランドプリピット１Ｐによる反射光の変動は、ビット単位の正確な記録位置の決定や、プリアドレスなどのディスク上の物理的位置情報の取得に用いられる。
【０００５】
図６は、光ディスクドライブ装置の光ピックアップ２における受光素子の配置を示し、メイン受光素子３と、その前後に配置されたトラッキング制御用の２個のサブ受光素子４及び５とで構成される。
【０００６】
メイン受光素子３は４分割されており、ディスクのグルーブ１Ｇに照射したメインの光ビームの反射光を受光し、再生信号Ａ〜Ｄを生成して出力する。また、サブ受光素子４及び５は２分割されており、それぞれ先行サブビーム及び後行サブビームを受光し、再生信号Ｅ及びＦ、Ｇ及びＨを生成して出力する。
【０００７】
ランドプリピット１Ｐの検出は、メイン受光素子３から出力される再生信号Ａ〜Ｄを用いて行われる。すなわち、グルーブの片側分の再生信号Ｂ及びＣを加算して第１のライトプッシュプル信号ＷＰＰ１を生成するとともに、グルーブの反対側分の再生信号Ａ及びＤを加算して第２のライトプッシュプル信号ＷＰＰ２を生成する。そして、第１のライトプッシュプル信号ＷＰＰ１と第２のライトプッシュプル信号ＷＰＰ２との差分（すなわちグルーブ左右の光量差）からランドプリピット信号ＬＰＰを生成し、当該ランドプリピット信号ＬＰＰを用いてランドプリピット１Ｐを検出する。
【特許文献１】特開２００２−３３４４４６公報
【発明の開示】
【発明が解決しようとする課題】
【０００８】
光ディスクドライブ装置は、データ再生時においてはディスクに対して比較的低光量の再生パワーで光ビームを連続的に照射し、その反射光に基づく再生信号から、データやランドプリピット、ウォブリング情報等を得る。これに対してデータ記録時においては、グルーブ内にピットを形成する期間では高出力の記録パワーで光ビームを照射し、ピットを形成しない期間では低出力の再生パワーで光ビームを照射していく。
【０００９】
ここで光ディスクドライブ装置は、データ記録時においてもランドプリピットを検出する必要がある。ところが上述したように、光ディスクドライブ装置はデータ記録時において、低光量の再生パワーと高出力の記録パワーとを随時切り替えてデータを記録している。このため図７に示すように、メイン受光素子１から出力される再生信号Ａ〜Ｄの信号レベルも、ピットレベル（ピット形成時）とリードレベル（ピット非形成時）とで大きく変化する。
【００１０】
これに加えて近年、光ディスクドライブ装置の高速化が進んでおり、これに伴い光ビームの記録パワーが増大している。このため、ピットレベルが増加して再生信号が飽和してしまうとともに、ピットレベルとリードレベルの信号レベル差が増大することにより、ピットレベルからリードレベルへの遷移時におけるリンギングが激しくなってセトリング時間が増加してしまい、これらの原因によって再生信号のＳ／Ｎ（Signal/Noise）比が低下してランドプリピットをうまく検出できなくなり、この結果アドレスを検出できなくなるという問題があった。
【００１１】
かかる問題を解決するため、再生信号を減衰させてピットレベルを低下させることも考えられるが、この場合ピットレベルとともにリードレベルも低下し、これにより当該リードレベルのＳ／Ｎ比が低下してしまい、この結果アドレスを検出できなくなるという問題があった。
【００１２】
本発明は以上の点を考慮してなされたもので、簡易な構成で、データ記録時において確実にアドレスを検出し得る光ディスクドライブ装置を提案しようとするものである。
【課題を解決するための手段】
【００１３】
かかる課題を解決するため本発明においては、データを記録するためのグルーブが形成されている光ディスクに対し、データの記録及び再生を行う光ディスクドライブ装置において、光ディスクを回転駆動する駆動手段と、駆動手段によって回転駆動される上記光ディスクに対し、高出力の記録パワーと低出力の再生パワーとを切り替えて光ビームを照射することにより、当該光ディスクのグルーブにピットを形成していく光ビーム照射手段と、光ビームが光ディスクで反射されてなる反射光を受光して再生信号を生成し出力する受光手段と、受光手段から出力される再生信号を入力し、減衰して出力する減衰手段と、受光手段から出力される再生信号を入力し、当該再生信号における、記録パワーで照射された光ビームの反射光を検出してなる信号部分であるピットレベルを所定のクランプ値でクランプして出力するリミッタと、再生信号からアドレス信号を生成するアドレス信号生成手段とを光ディスクドライブ装置に設け、アドレス信号生成手段は、光ビーム照射手段が記録パワーで照射している期間は、減衰手段によって減衰された再生信号を選択してアドレス信号を生成し、光ビーム照射手段が再生パワーで照射している期間は、リミッタによってピットレベルがクランプされた再生信号を選択してアドレス信号を生成するようにした。
【００１４】
光ビームを記録パワーで照射している期間は、減衰手段によって減衰された再生信号からアドレス信号を生成することにより、ピットレベルを低下させて飽和を回避し、当該ピットレベルにおけるＳ／Ｎ比を確保することができる。また、光ビームを再生パワーで照射している期間は、リミッタによってピットレベルがクランプされた再生信号からアドレス信号を生成することにより、ピットレベルの飽和を考慮することなく再生信号の増幅率を大きく取ることができ、これによりリードレベルのＳ／Ｎ比を確保できるとともに、ピットレベルとリードレベルとの信号レベル差を削減してピットレベルからリードレベルへ遷移する際のセトリング時間を短縮することができる。
【００１５】
また本発明においては、データを記録するためのグルーブが形成されている光ディスクに対し、データの記録及び再生を行う光ピックアップにおいて、回転駆動される光ディスクに対し、高出力の記録パワーと低出力の再生パワーとを切り替えて光ビームを照射することにより、当該光ディスクのグルーブにピットを形成していく光ビーム照射手段と、光ビームが光ディスクで反射されてなる反射光を受光して再生信号を生成し出力する受光手段と、受光手段から出力される再生信号を入力し、減衰して出力する減衰手段と、受光手段から出力される再生信号を入力し、当該再生信号における、記録パワーで照射された光ビームの反射光を検出してなる信号部分であるピットレベルを所定のクランプ値でクランプして出力するリミッタと、再生信号からアドレス信号を生成するアドレス信号生成手段とを光ピックアップに設け、アドレス信号生成手段は、光ビーム照射手段が記録パワーで照射している期間は、減衰手段によって減衰された再生信号を選択してアドレス信号を生成し、光ビーム照射手段が再生パワーで照射している期間は、リミッタによってピットレベルがクランプされた再生信号を選択してアドレス信号を生成するようにした。
【００１６】
光ビームを記録パワーで照射している期間は、減衰手段によって減衰された再生信号からアドレス信号を生成することにより、ピットレベルを低下させて飽和を回避し、当該ピットレベルにおけるＳ／Ｎ比を確保することができる。また、光ビームを再生パワーで照射している期間は、リミッタによってピットレベルがクランプされた再生信号からアドレス信号を生成することにより、ピットレベルの飽和を考慮することなく再生信号の増幅率を大きく取ることができ、これによりリードレベルのＳ／Ｎ比を確保できるとともに、ピットレベルとリードレベルとの信号レベル差を削減してピットレベルからリードレベルへ遷移する際のセトリング時間を短縮することができる。
【００１７】
さらに本発明においては、光ディスクに形成されたグルーブに対して高出力の記録パワーと低出力の再生パワーとを切り替えて光ビームを照射することによりデータの記録を行う際に、当該光ディスク上のアドレスを検出するためのアドレス信号を生成するアドレス信号生成方法において、光ビームが光ディスクで反射されてなる反射光を受光して再生信号を生成し、光ビーム照射手段が記録パワーで照射している期間は、所定の減衰率で減衰した再生信号からアドレス信号を生成し、光ビーム照射手段が再生パワーで照射している期間は、記録パワーで照射された光ビームの反射光を検出してなる信号部分であるピットレベルを所定のクランプ値でクランプした再生信号からアドレス信号を生成するようにした。
【００１８】
光ビームを記録パワーで照射している期間は、減衰した再生信号からアドレス信号を生成することにより、ピットレベルを低下させて飽和を回避し、当該ピットレベルにおけるＳ／Ｎ比を確保することができる。また、光ビームを再生パワーで照射している期間は、ピットレベルをクランプした再生信号からアドレス信号を生成することにより、ピットレベルの飽和を考慮することなく再生信号の増幅率を大きく取ることができ、これによりリードレベルのＳ／Ｎ比を確保できるとともに、ピットレベルとリードレベルとの信号レベル差を削減してピットレベルからリードレベルへ遷移する際のセトリング時間を短縮することができる。
【発明の効果】
【００１９】
本発明によれば、光ビームを記録パワーで照射している期間は、減衰手段で減衰した再生信号からアドレス信号を生成することにより、ピットレベルにおけるＳ／Ｎ比を確保することができる。また、光ビームを再生パワーで照射している期間は、リミッタでピットレベルをクランプした再生信号からアドレス信号を生成することにより、ピットレベルの飽和を考慮することなく再生信号の増幅率を大きく取ることができ、これによりリードレベルのＳ／Ｎ比を確保できるとともに、ピットレベルとリードレベルとの信号レベル差を削減してピットレベルからリードレベルへ遷移する際のセトリング時間を短縮することができ、かくして、簡易な構成でデータ記録時において確実にアドレスを検出し得る光ディスクドライブ装置を実現することができる。
【発明を実施するための最良の形態】
【００２０】
以下図面について、本発明の一実施の形態を詳述する。
【００２１】
（１）光ディスクドライブ装置の全体構成
図１において、１０は全体として本発明を適用した光ディスクドライブ装置を示し、制御部１１が光ディスクドライブ装置１０の各部を制御するようになされている。
【００２２】
すなわち制御部１１は、サーボ回路１２を介してスピンドルモータ１３を回転させ、ターンテーブル（図示せず）に載置された光ディスク１を回転駆動する。また制御部１１は、サーボ回路１２を介して送りモータ１４を回転させ、光ピックアップ２０を光ディスク１の半径方向に移動させる。さらに制御部１１は信号処理部１５を制御し、光ディスク１に対するデータの読出及び書込を実行させる。
【００２３】
すなわち、データ再生時において信号処理部１５は、低光量の再生パワーでの発光を指示する駆動信号を生成して光ピックアップ２０に供給する。図２において、光ピックアップ１５のレーザドライバ２１は、信号処理部１５から供給される駆動信号Ｓｄに応じたレーザ駆動電流を生成し、これをレーザダイオード２２に供給する。レーザダイオード２２はレーザ駆動電流によって発光駆動され、低出力の再生パワーで連続発光して光ディスク１（図１）に対し光ビームを照射する。
【００２４】
このとき光ピックアップ２０は、ディスク１によって反射された光ビームを、ＰＤＩＣ（Photo Detecting IC）２３の受光素子３〜５で受光して再生信号Ａ〜Ｈを生成する。ＰＤＩＣ２３のアンプ２４Ａ〜２４Ｈは、それぞれリミッタ２５Ａ〜２５Ｈを介して入力した再生信号Ａ〜Ｈを増幅し、信号処理部１６（図１）に供給する。信号処理部１６は再生信号Ａ〜Ｈを用いてトラッキングやフォーカス等の各種制御を行うとともに、再生信号Ａ〜Ｄを復調して読出データを生成し、外部の機器に出力する。
【００２５】
一方、データ記録時において信号処理部１５は、外部から供給される書込データに応じた駆動信号を生成して光ピックアップ２０に供給する。光ピックアップ２０のレーザドライバ２０は、信号処理部１５から供給される駆動信号Ｓｄに応じたレーザ駆動電流を生成し、これをレーザダイオード２１に供給する。レーザダイオード２１はレーザ駆動電流によって発光駆動され、光ディスク１に対してデータを記録していく。このときレーザダイオード２１は、高出力の記録パワー（ピット形成時）と低出力の再生パワー（ピット非形成時）を随時切り替えながら照射する。
【００２６】
（２）データ記録時におけるランドプリピットの検出
この光ディスクドライブ装置１０は従来と同様に、データ記録時において光ビームの反射光から、アドレス信号としてのランドプリピット信号ＬＰＰを生成し、当該ランドプリピット信号ＬＰＰを用いてランドプリピット１Ｐ（図５）を検出することにより、光ディスク１上のアドレスを検出するようになされている。
【００２７】
ここで、光ディスクドライブ装置１０はデータ記録時において、ピットレベルとリードレベルとで異なる信号処理を行ってランドプリピット信号ＬＰＰを生成するようになされている。
【００２８】
すなわち図２（Ａ）に示すように、ＰＤＩＣ２３は、リミッタ２４Ａ及び２４Ｄに入力される前の再生信号Ａ及びＤを合成した後、減衰率αでゲインを低減して第１のライトプッシュプル信号ＷＰＰ１を生成し出力する。同様にＰＤＩＣ２３は、リミッタ２４Ｂ及び２４Ｃに入力される前の再生信号Ｂ及びＣを合成した後、減衰率αでゲインを低減して第２のライトプッシュプル信号ＷＰＰ２を生成し出力する。
【００２９】
光ピックアップ２０の信号選択部２６は、ＰＤＩＣ２３から出力される第１及び第２のライトプッシュプル信号ＷＰＰ１及びＷＰＰ２、並びに再生信号Ａ〜Ｄを入力する。
【００３０】
ここで、ＰＤＩＣ２３から出力される再生信号Ａ〜Ｄには、リミッタ２４Ａ〜２４Ｄによって所定のリミッタ値でクランプが掛けられている。このリミッタ値は、データ再生時におけるピットレベルより大きく、かつデータ記録時におけるピットレベルより小さく設定されており、データ記録時において再生信号Ａ〜Ｄがピットレベルで飽和することを防止している。このため、データ再生時においてはリミッタ２４Ａ〜２４Ｄは動作せず、これにより当該リミッタ２４Ａ〜２４Ｄはデータ再生に影響を及ぼすことは無い。
【００３１】
これに対してデータ記録時においては、図３（Ａ）に示すように、再生信号Ａ〜Ｄのピットレベルはリミッタ２４Ａ〜２４Ｄによってリミッタ値にクランプされ、このため当該ピットレベルは信号としては使用することができない（リードレベルはクランプされていないため信号として使用可能）。しかし、再生信号Ａ〜Ｄはピットレベルがリミッタ値にクランプされていることから、ピットレベルとリードレベルとの信号レベル差が抑えられており、これにより図４に示すように、ピットレベルからリードレベルに遷移する際のセトリング時間を短縮することができる。
【００３２】
一方、第１及び第２のライトプッシュプル信号ＷＰＰ１及びＷＰＰ２は、図３（Ｂ）に示すようにそのゲインが低減されているため、ピットレベルにおいても飽和することは無い。
【００３３】
そして光ディスクドライブ装置１０は、ピットレベルについては第１及び第２のライトプッシュプル信号ＷＰＰ１及びＷＰＰ２を用いてランドプリピット信号ＬＰＰを生成するのに対し、リードレベルについては再生信号Ａ〜Ｄを用いてランドプリピット信号ＬＰＰを生成する。
【００３４】
すなわち、アドレス信号生成手段としての信号選択部２６は、第１のライトプッシュプル信号ＷＰＰ１から第２のライトプッシュプル信号ＷＰＰ２を減算することにより、第１のランドプリピット信号ＬＰＰ１を生成し、選択スイッチ２７に供給する。また信号選択部２６は、次式を用いて再生信号Ａ〜Ｄから第２のランドプリピット信号ＬＰＰ２を生成し、選択スイッチ２７に供給する。
【００３５】
ＬＰＰ２＝（Ａ＋Ｄ）−（Ｂ＋Ｃ）                        ……（１）
【００３６】
選択スイッチ２７は、信号処理部１５から供給される駆動信号Ｓｄに基づいて、図３（Ａ）〜図３（Ｃ）に示すように、レーザダイオード２１が高出力の記録パワーで発光している期間（ピット形成時）は、第１のランドプリピット信号ＬＰＰ１を選択するのに対し、低出力の再生パワーで発光している期間（ピット非形成時）は第２のランドプリピット信号ＬＰＰ２を選択する。
【００３７】
そして選択スイッチ２７は、駆動信号Ｓｄに基づいて選択した第１のランドプリピット信号ＬＰＰ１又は第２のランドプリピット信号ＬＰＰ２を、アドレス信号としてのランドプリピット信号ＬＰＰとして信号処理部１５に出力する。
【００３８】
（３）動作及び効果
以上の構成において、光ディスクドライブ装置１０の信号選択部２６はデータ記録時、受光素子３の出力をゲイン低減してなる第１及び第２のライトプッシュプル信号ＷＰＰ１及びＷＰＰ２を用いて第１のランドプリピット信号ＬＰＰ１を生成するとともに、受光素子３の出力のピットレベルをリミッタ２４Ａ〜２４Ｄでクランプしてなる再生信号Ａ〜Ｄを用いて第２のランドプリピット信号ＬＰＰ２を生成する。
【００３９】
そして、信号選択部２６の選択スイッチ２７は駆動信号Ｓｄに基づき、レーザダイオード２１が高出力の記録パワーで照射しているピット形成時（すなわちピットレベル）には、第１のランドプリピット信号ＬＰＰ１を選択するのに対し、低出力の再生パワーで照射しているピット非形成時（すなわちリードレベル）には、第２のランドプリピット信号ＬＰＰ２を選択する。
【００４０】
このように、光ディスクドライブ装置１０はピットレベルにおいて、受光素子３の出力をゲイン低減して生成した第１のランドプリピット信号ＬＰＰ１を用いることにより、ピットレベルを低下させて飽和を回避し、当該ピットレベルにおけるＳ／Ｎ比を確保することができる。
【００４１】
また、光ディスクドライブ装置１０はリードレベルにおいて、受光素子３の出力のピットレベルをクランプして生成した第２のランドプリピット信号ＬＰＰ２を用いることにより、ピットレベルの飽和を考慮することなくアンプ２５Ａ〜２５Ｄの増幅率を大きく取ることができ、これによりリードレベルを増加させて当該リードレベルにおけるＳ／Ｎ比を確保できるとともに、ピットレベルとリードレベルとの信号レベル差を削減してピットレベルからリードレベルへ遷移する際のセトリング時間を短縮することができる。
【００４２】
以上の構成によれば、ピット形成時には、受光素子３の出力をゲイン低減して生成した第１のランドプリピット信号ＬＰＰ１をピットレベルとして選択するとともに、ピット非形成時には、受光素子３の出力をクランプして生成した第２のランドプリピット信号ＬＰＰ２をリードレベルとして選択してランドプリピット信号ＬＰＰを生成することにより、当該ランドプリピット信号ＬＰＰのＳ／Ｎ比を向上し得るとともに、ピットレベルからリードレベルへ遷移する際のセトリング時間を短縮することができる。
【００４３】
（４）他の実施の形態
なお上述の実施の形態においては、ＰＤＩＣ２３の内部で再生信号Ａ〜Ｄをクランプして出力するとともに、第１及び第２のライトプッシュプル信号ＷＰＰ１及びＷＰＰ２を生成して出力し、信号選択部２６において、再生信号Ａ〜Ｄから第２のランドプリピット信号ＬＰＰ２を生成するとともに、第１及び第２のライトプッシュプル信号ＷＰＰ１及びＷＰＰ２から第１のランドプリピット信号ＬＰＰ１を生成するようにしたが、本発明はこれに限らず、ＰＤＩＣ２３の内部で第１及び第２のランドプリピット信号ＬＰＰ１及びＬＰＰ２を生成するようにしてもよい。
【００４４】
また上述の実施の形態においては、信号選択部２６が駆動信号Ｓｄに基づいて第１のランドプリピット信号ＬＰＰ１又は第２のランドプリピット信号ＬＰＰ２を選択するようにしたが、本発明はこれに限らず、再生信号Ａ〜Ｄのレベル変化に基づいてレーザダイオード２１の照射パワー（記録パワー又は再生パワー）を判定し、当該判定結果に基づいて第１のランドプリピット信号ＬＰＰ１又は第２のランドプリピット信号ＬＰＰ２を選択するようにしてもよい。
【００４５】
また上述の実施の形態においては、本発明を記録型ＤＶＤにおけるランドプリピットを用いたアドレス検出に適用した場合について述べたが、本発明はこれに限らず、各種光ディスクにおけるグルーブのウォブリングを用いたアドレス検出に本発明を適用してもよく、さらにはアドレス検出に限らず、照射パワーの変動の影響を受ける各種記録情報の検出に本発明を適用することができる。
【産業上の利用可能性】
【００４６】
本発明は、記録型光ディスクに対応した光ディスクドライブ装置に適用することができる。
【図面の簡単な説明】
【００４７】
【図１】本発明による光ディスクドライブ装置の全体構成を示すブロック図である。
【図２】本発明による光ピックアップの構成を示すブロック図である。
【図３】ランドプリピット信号生成の説明に供する特性曲線図である。
【図４】クランプによるセトリング時間短縮の説明に供する特性曲線図である。
【図５】ランドプリピットの説明に供する略線図である。
【図６】受光素子の配置を示す略線図である。
【図７】ピットレベルとリードレベルの説明に供する略線図である。
【符号の説明】
【００４８】
１……光ディスク、２、２０……光ピックアップ、３……メイン受光素子、４、５……サブ受光素子、１０……光ディスクドライブ装置、１１……制御部、１２……サーボ回路、１３……スピンドルモータ、１４……送りモータ、１５……信号処理部、２１……レーザドライバ、２２……レーザダイオード、２３……ＰＤＩＣ、２４Ａ〜２４Ｈ……リミッタ、２５Ａ〜２５Ｈ……アンプ、２６……信号選択部、２７……選択スイッチ。
【図１】
2005174443.tif 000003
【図２】
2005174443.tif 000004
【図３】
2005174443.tif 000005
【図４】
2005174443.tif 000006
【図５】
2005174443.tif 000007
【図６】
2005174443.tif 000008
【図７】
2005174443.tif 000009